(57)【要約】【課題】椅子型簡易トイレの便座部昇降装置の提供。【解決手段】椅子型簡易トイレは、トイレ不使用時に椅子として使用され、椅子本体、便器、便器受け、及び椅子本体内に取り付けられた駆動機構を具えている。該椅子本体は人が座る位置に大きな穿孔が設けられる。該受け座は椅子本体の人が座る位置に設けられ、その上面に便器が保持される。該駆動機構は該受け座を昇降させ、老人、病人が座ったり立ち上がる動作を楽に行わせる。【選択図】　　　　図３
0003097276.tif 000002
【実用新案登録請求の範囲】
【請求項１】
椅子型簡易トイレの便座部昇降装置において、該椅子型簡易トイレが、椅子本体、便器、便器を保持する受け座、及び椅子本体内に取り付けられた駆動機構を具え、
該椅子本体の人が座る位置部分に穿孔があり、該受け座が該椅子本体の人が座る位置に設置され、並びに椅子本体の穿孔を遮蔽し、該駆動機構は椅子本体と固定された下フレーム、受け座と固定された上フレーム、サイドバーが相互に交差するよう枢接された二つのＵ形ロッド、及び電動式伸縮管機構を具え、そのうち第１のＵ形ロッドの両側のサイドバーの下端が下フレームの後端に枢接され、第１のＵ形ロッドの両側のサイドバーの上端に、上フレームの両側のガイドレール中を移動するローラが枢設され、第２のＵ形ロッドの両側のサイドバーの上端が上フレームの後端に枢接され、第２のＵ形ロッドの両側のサイドバーの下端に、下フレーム両側のガイドレールを移動するローラが枢設され、該伸縮管機構の一端のベースシートが該下フレームの前端に枢接され、別端の伸縮管が第２のＵ形ロッドの底部に枢接され、
伸縮管機構が伸縮管を駆動し伸縮させることにより受け座が降下、上昇することを特徴とする、椅子型簡易トイレの便座部昇降装置。
【請求項２】
請求項１に記載の椅子型簡易トイレの便座部昇降装置において、受け座下部がシートの穿孔形状に対応する周壁とされ、該周壁の外壁面が該穿孔の内縁と嵌合する。これにより該受け座の昇降過程中に、その周壁がいずれも該穿孔内に保持されることを特徴とする、椅子型簡易トイレの便座部昇降装置。
【考案の詳細な説明】
【０００１】
【考案の属する技術分野】
本考案は一種の椅子型簡易トイレの便座部昇降装置に係り、特に、病人、老人が排泄を行う時に座ったり立ち上がるのに支持力を提供し、病人、老人の動作を楽に行わせることができる、椅子型簡易トイレの便座部昇降装置に関する。
【０００２】
【従来の技術】
椅子型簡易トイレは、便器を設置した椅子１０であり、それは、回転式に開け閉めできるシート１１を具え、シート１１の下方に便器１２が放置され、図１に示されるようである。該椅子型簡易トイレは、老人、病人の使用に供される。病人、老人が椅子型簡易トイレを不使用の時、シート１１で便器１２を遮蔽すれば、一般の椅子として使用できる。このような椅子型簡易トイレ１０のほとんどは寝室内に置かれ、その外観上は一般の家具としての椅子とあまり変わらず、老人、患者が来客の前でも恥ずかしく思わなくて済む。このような椅子型簡易トイレは日本で極めて重視されている商品であり、老人、病人のいる家庭では配備が必要な家具であるといえる。
【０００３】
老人、病人が椅子型簡易トイレを使用しなければならないということは、その行動能力が低くなり、腿部の支持力が弱まっていることを示すが、椅子型簡易トイレに座る、或いは椅子型簡易トイレより立ち上がる動作は、いずれも腿部の支持力により完成される。もし老人の腿部が無力であったり、病人が腿に怪我をしている場合は、動作に力を費やし、他人の介助を必要とする場合もある。しかし、排泄は極めてプライベートな行為であり、一人で完成したいと思うのは老人、病人であっても変わらない。
【０００４】
【考案が解決しようとする課題】
本考案は一種の椅子型簡易トイレの便座部昇降装置を提供することを目的とし、それは、便器を保持する座体が、電動方式で昇降させられ、老人、病人が楽に座ったり立ち上がることができ、老人、病人が独立してトイレを済ませることができるようにするものとする。
【０００５】
【課題を解決するための手段】
請求項１の考案は、椅子型簡易トイレの便座部昇降装置において、該椅子型簡易トイレが、椅子本体、便器、便器を保持する受け座、及び椅子本体内に取り付けられた駆動機構を具え、
該椅子本体の人が座る位置部分に穿孔があり、該受け座が該椅子本体の人が座る位置に設置され、並びに椅子本体の穿孔を遮蔽し、該駆動機構は椅子本体と固定された下フレーム、受け座と固定された上フレーム、サイドバーが相互に交差するよう枢接された二つのＵ形ロッド、及び電動式伸縮管機構を具え、そのうち第１のＵ形ロッドの両側のサイドバーの下端が下フレームの後端に枢接され、第１のＵ形ロッドの両側のサイドバーの上端に、上フレームの両側のガイドレール中を移動するローラが枢設され、第２のＵ形ロッドの両側のサイドバーの上端が上フレームの後端に枢接され、第２のＵ形ロッドの両側のサイドバーの下端に、下フレーム両側のガイドレールを移動するローラが枢設され、該伸縮管機構の一端のベースシートが該下フレームの前端に枢接され、別端の伸縮管が第２のＵ形ロッドの底部に枢接され、
伸縮管機構が伸縮管を駆動し伸縮させることにより受け座が降下、上昇することを特徴とする、椅子型簡易トイレの便座部昇降装置としている。
請求項２の考案は、請求項１に記載の椅子型簡易トイレの便座部昇降装置において、受け座下部がシートの穿孔形状に対応する周壁とされ、該周壁の外壁面が該穿孔の内縁と嵌合する。これにより該受け座の昇降過程中に、その周壁がいずれも該穿孔内に保持されることを特徴とする、椅子型簡易トイレの便座部昇降装置としている。
【０００６】
【考案の実施の形態】
本考案は一種の椅子型簡易トイレの便座部昇降装置を提供する。該椅子型簡易トイレは、椅子本体、便器、便器を保持する受け座、及び椅子本体内に取り付けられた駆動機構を具えている。該椅子本体の人が座る位置部分に大きな穿孔を具えている。該駆動機構は椅子本体と固定された下フレーム、受け座と固定された上フレーム、サイドバーが相互に交差するよう枢接された二つのＵ形ロッド、及び電動式伸縮管機構を具えている。該二つのＵ形ロッドは上フレームと下フレームの間に支持されている。該伸縮管機構は該二つのＵ形ロッドの下端に伝動して相互に接近或いは離れる動作を行わせ、上フレームと下フレームの距離を増加或いは短縮させて受け座を上昇或いは下降させる目的を達成する。
【０００７】
本考案の提供する椅子型簡易トイレの便座部昇降装置は、受け座下部がシートの穿孔形状に対応する周壁とされ、該周壁の外壁面が該穿孔の内縁と嵌合する。これにより該受け座の昇降過程中に、その周壁がいずれも該穿孔内に保持され、人や物品が挟まれることがなく、安全性が高い。
【０００８】
【実施例】
本考案の提供する椅子型簡易トイレの便座部昇降装置は、図２、３に示されるように、椅子型簡易トイレ２０が椅子本体２１、便器２２、便器２２を保持する受け座２３、及び椅子本体２１内部に設けられた駆動機構３０を具えている。該椅子本体２１の人が座る位置に大きな穿孔２１１が設けられている。該受け座２３は該椅子本体２１の座る位置に設置され、並びに該椅子本体２１の穿孔２１１を遮蔽している。該受け座２３の上面中央に便器２２が保持される。該駆動機構３０は椅子本体２１と固定された下フレーム３１、受け座２３と固定された上フレーム３２、サイドバーが相互に交差するよう枢接された二つのＵ形ロッド３３、３４、及び電動式伸縮管機構３５を具えている。そのうち、第１Ｕ形ロッド３３の下端両側は下フレーム３１の後端に枢接され、その二つのサイドバー３３１の上端がそれぞれ上フレーム３２両側のガイドレール３２１を移動するローラ３３２に枢設され、これは図４に示されるとおりである。第２Ｕ形ロッド３４の下端両側はそれぞれ下フレーム３１の両側のガイドレール３１１を移動するローラ３４２に枢設され、その両側のサイドバー３４１の上端は上フレーム３２の後端に枢接されている。該伸縮管機構３５の一端はベースシート３５１とされ、別端は伸縮する伸縮管３５２とされる。そのうち、該ベースシート３５１は下フレーム３１の後端に枢接され、伸縮管３５２の外端は第２Ｕ形ロッド３４の底部に枢接されている。伸縮管機構３５の伸縮管３５２が内縮動作する時、第２Ｕ形ロッド３４の下端駆動されて後方に接近し、二つのＵ形ロッド３３、３４の下端が相互に接近し、該二つのＵ形ロッド３３、３４の両側のサイドバー３３１、３４１の上端が上昇し、これにより上フレーム３２が持ち上げられ、これにより受け座２３が持ち上げられる。
【０００９】
以上において、伸縮管機構３５の伸縮管３５２が外向きに伸出する時、第２Ｕ形ロッド３４の伸縮管３５２端両側のローラ３４２が下フレーム３１の両側のガイドレール３１１に沿って前向きに移動する。これと同時に、第１Ｕ形ロッド３３の両側のサイドバー３３１の上端のローラ３３２が上フレーム３２の両側のガイドレール３２１に沿って前向きに移動し、これにより上フレーム３２が下降し、これは図２、５に示されるとおりである。伸縮管機構３５の伸縮管３５２が内縮する時、該第２Ｕ形ロッド３４の下端両側のローラ３４２が下フレーム３１両側のガイドレール３１１に沿って後方に移動し、同時に、第１Ｕ形ロッド３３の両側のサイドバー３３１上端のローラ３３２が上フレーム３２の両側のガイドレール３２１に沿って後方に移動し、これにより上フレーム３２が上昇し、これは図４に示されるようであり、これにより受け座２３が上昇し、これは図６に示されるとおりである。
【００１０】
腿部の支持力が弱まった人が上述の椅子型簡易トイレ２０を使用して排泄する時、受け座２３を先に上昇させて図６の状態となせば、使用者が起立した方式から楽に受け座２３に座ることができ、並びに身体の大部分の重量を受け座２３により支持できる。さらに受け座２３を下降させる過程で、使用者の重量は受け座２３により支持され、使用者の腿部に力を入れなくても簡単に座ることができる。同様に、排泄完成後に、受け座２３を上昇させることにより、使用者が簡単に立ち上がることができる。
【００１１】
上述の伸縮管機構３５は周知の機構体とされ、それは電動方式で該伸縮管３５２を駆動して伸縮させる。伸縮管機構３５の運転を制御するためのスイッチ（図示せず）は椅子本体２１のアームレスト２４に設置可能である。
【００１２】
上述の受け座２３が最低点に下降した位置が、トイレ用補助椅子に人が座る位置とされる。シート２５で被覆すれば、一般の椅子として使用される。受け座２３の株は椅子本体２１の穿孔２１１形状に対応する周壁２３１を具え、周壁２３１の外壁面が該穿孔２１１の内縁に嵌合する。該受け座２３の昇降過程で、その周壁２３１がいずれも該穿孔２１１内に保持されるため、使用上の安全性が高い。
【００１３】
便器２２がどのような状態でも駆動機構３０に衝突しないように、駆動機構３０には中央が中空状態とされた上フレーム３２と下フレーム３１、及びＵ形ロッド３３、３４が使用される。伸縮管機構３５は便器２２を避けて設置される。
【００１４】
【考案の効果】
図１の周知の椅子型簡易トイレ１０は、不使用時の使用者の体面、その尊厳の維持が考慮されておらず、また排泄を行う時には他人の介助が必要であり、個人のプライド、尊厳を傷つけることがある。このような状況は使用者に我慢できない気分を味合わせる。本考案の提供する椅子型簡易トイレは、不使用時は家具となり、トイレを使用者が独立して完成でき、介護者の負担を減らすことができる。ゆえに本考案は使用者の尊厳を守ることのできる新規な設計とされる。
【図面の簡単な説明】
【図１】周知の技術の斜視図である。
【図２】本考案の斜視図である。
【図３】本考案の分解斜視図である。
【図４】本考案の駆動機構の上昇状態の斜視図である。
【図５】本考案の受け座の未上昇時の断面図である。
【図６】本考案の受け座の未上昇時の斜視図である。
【符号の説明】
１０　椅子型簡易トイレ　　　　　　１１　シート
１２　便器
２０　椅子型簡易トイレ　　　　　　２１　椅子本体
２１１　穿孔　　　　　　　　　　　２２　便器
２３　受け座　　　　　　　　　　　２３１　周壁
２４　アームレスト　　　　　　　　２５　シート
３０　駆動機構　　　　　　　　　　３１　下フレーム
３１１　ガイドレール　　　　　　　３２　上フレーム
３２１　ガイドレール　　　　　　　３３　Ｕ形ロッド
３３１　サイドバー　　　　　　　　３３２　ローラ
３４　Ｕ形ロッド　　　　　　　　　３４１　サイドバー
３４２　ローラ　　　　　　　　　　３５　伸縮管機構
３５１　ベースシート　　　　　　　３５２　伸縮管
【図１】
0003097276.tif 000003
【図２】
0003097276.tif 000004
【図３】
0003097276.tif 000005
【図４】
0003097276.tif 000006
【図５】
0003097276.tif 000007
【図６】
0003097276.tif 000008